(57)【特許請求の範囲】
【請求項１】
底板部と、前記底板部の一辺上に折り目を介して立設される背面部と、前記背面部の両端部に折り目を介して延設される差込片と、前記背面部の両側部で前記底板部の対向する一組の辺にそれぞれ折り目を介して連設され前記折り目で折り返されてコ字型に形成される側面外壁部と側面上壁部と側面内壁部で囲まれる中空部に前記差込片を挟持する側面部と、を備えた包装容器であって、
前記差込片が、根元側の高さが低く、先端側の高さが高くなるように前記側面上壁部側及び前記底板部側の両方の全体が傾斜して形成され、前記差込片の先端側の上縁に形成され前記側面部の前記中空部に挟持された状態で前記側面部の前記側面上壁部の内面と当接する１以上の突起部を備えたことを特徴とする組立箱。
【請求項２】
前記差込片の前記突起部が、上に凸の円弧状に形成されたことを特徴とする請求項１に記載の組立箱。
【請求項３】
前記差込片に前記突起部が複数形成され、組立前の複数の前記突起部の頂部の高さが、前記差込片の根元側が低く、前記差込片の先端側が高くなるように配置されたことを特徴とする請求項１又は２に記載の組立箱。
【請求項４】
前記差込片が、前記突起部の下方に穿設された貫通孔を備えたことを特徴とする請求項１乃至３の内いずれか１項に記載の組立箱。
【発明の詳細な説明】
【技術分野】
【０００１】
本発明は、段ボール、厚紙、合成紙、合成樹脂シート等を折り畳むことにより形成される組立箱に関するものである。
【背景技術】
【０００２】
従来、様々な物品を収容、運搬するために、段ボール、厚紙、合成紙、合成樹脂シート等を折り畳むことにより形成される組立箱が利用されている。
そして、この組立箱の組立てや分解を容易にするために、様々な形状や構造が検討されている。また、組立箱が運搬中などに変形したり、潰れたりして、収容物が破損することを防止するために、剛性、耐久性を高める工夫や形状安定性を向上させる工夫も行われている。
例えば（特許文献１）には、段ボールよりなる蓋体、箱体の一体形の組立箱で、一組の側壁を額縁構造とし、額縁内面片を底面片に当接固定せしめ、他の一組の側壁の両側に折込片を設け、額縁内に折込挿入し箱体を形成し、額縁と相俟って蓋体の形成を容易とした組立箱が開示されている。
また、（特許文献２）には、一方側縁に係合孔が形成された紙製の底板と、底板の他方側縁にて起立可能に一体形成された相対する一対の第１側板と、該第１側板の両端部にて上部が垂直線より若干の内側へ傾斜した折り目により折曲可能に一体形成された隅板と、底板の一方側縁にて起立可能に一体形成された相対する一対の起立板と該起立板上部に所要の平面幅で折曲可能に一体形成された頂面板及び該頂面板に折曲可能に一体形成され、下部に係合孔に係止する係止部を有した垂下板からなる第２側板と、係合孔に一致する頂面板の一部を切り抜いて起立板に連続する頂面板とほぼ一致する幅の係合部とからなり、底板に対して第１側板を起立させた状態で隅板を内側へ若干傾けて起立させた状態で第２側板の起立板を隅板に沿って起立させると共に頂面板を平面状にした状態で垂下板を折り返して係止部を係合孔に係止させることにより係合部を内側へ若干傾いた状態で起立させて組み立てられる段積み用紙製箱が開示されている。
【先行技術文献】
【特許文献】
【０００３】
【特許文献１】特開２００１−８０６２７号公報
【特許文献２】特開平１１−３４８９９２号公報
【発明の開示】
【発明が解決しようとする課題】
【０００４】
しかしながら、上記従来の技術においては、以下のような課題を有していた。
（１）（特許文献１）の組立箱は、一組の側壁の両側に設けた折込片を、額縁内に折込挿入し箱体を形成するが、組立時に折込片の上辺及び下辺が額縁上縁片及び底面片と平行になるように形成されている。このため、折込片を額縁内に折込挿入した状態で、折込片の上辺と額縁上縁片の内面との間に隙間が生じ易く、外力や衝撃力、荷重などが加わった際に、折込片を設けた側壁が外方に倒れたり、折込片が額縁から抜けたりして、組立箱の変形や潰れなどが発生し、耐久性、形状安定性に欠けるという課題を有していた。
（２）（特許文献２）の段積み用紙製箱では、各隅板の上辺が、根元側が低く、先端側が高い傾斜状に形成されている。このため、組立て後は、起立板及び垂下板間に挟まれた各隅板の先端部上面に対して押え板が当接し、第１側板の起立状態を保つことができ、隅板が抜け難く、第１側板が外方に倒れて箱の変形や潰れなどが発生することを防止できる。しかし、落下時にコーナ部分に集中する荷重により、隅板が根元からちぎれたり、隅板の先端部が押え板を突き破ったりして箱が裂け、破損が発生し易く、耐衝撃性、耐久性に欠けるという課題を有していた。
【０００５】
本発明は上記課題を解決するもので、簡単な構造で組立て及び分解の作業性を低下させることなく、外力に対する形状安定性、耐久性を向上させ、潰れや変形などの発生を防止できると共に、過大な外力や落下時の衝撃力などが加わった際には、その力を分散、緩衝して、破損を防止することができる耐衝撃性、形状保持性に優れた組立箱の提供を目的とする。
【課題を解決するための手段】
【０００６】
上記課題を解決するために本発明の組立箱は、以下の構成を有している。
本発明の請求項１に記載の組立箱は、底板部と、前記底板部の一辺上に折り目を介して立設される背面部と、前記背面部の両端部に折り目を介して延設される差込片と、前記背面部の両側部で前記底板部の対向する一組の辺にそれぞれ折り目を介して連設され前記折り目で折り返されてコ字型に形成される側面外壁部と側面上壁部と側面内壁部で囲まれる中空部に前記差込片を挟持する側面部と、を備えた包装容器であって、前記差込片が、根元側の高さが低く、先端側の高さが高くなるように前記側面上壁部側及び前記底板部側の両方の全体が傾斜して形成され、前記差込片の先端側の上縁に形成され前記側面部の前記中空部に挟持された状態で前記側面部の前記側面上壁部の内面と当接する１以上の突起部を備えた構成を有している。
この構成により、以下のような作用を有する。
（１）底板部の一辺上に折り目を介して立設される背面部には、外方に開こうとする力（元の平面状態に戻ろうとする力）が発生するが、背面部の両端部に折り目を介して延設され、側面部の中空部に挟持される差込片が、根元側の高さが低く、先端側の高さが高くなるように前記側面上壁部側及び前記底板部側の両方の全体が傾斜して形成され、先端側の上縁に形成され側面部の側面上壁部の内面と当接する１以上の突起部を有することにより、差込片を側面上壁部で確実に下方に押し下げることができ、背面部が外方に開くことを防止でき、形状安定性に優れる。
（２）差込片が、根元側の高さが低く、先端側の高さが高くなるように前記側面上壁部側及び前記底板部側の両方の全体が傾斜して形成され、差込片の先端側の上縁に形成され側壁部の中空部に挟持された状態で側面部の側面上壁部の内面と当接する１以上の突起部を有するので、積載時の荷重などにより背面部を外方に倒そうとする外力が働いた場合でも、突起部が側面部の側面上壁部の内面と当接することによって、差込片が中空部から抜けることがなく、背面部が外方に倒れることを防止して形状を維持することができ、潰れや変形などが発生せず、形状安定性、耐久性に優れる。
【０００７】
ここで、段ボール、厚紙、合成紙、合成樹脂シート等を所定の形状に切断し又はくり抜き、要所に必要な折り目、切れ目、嵌合孔などを形成して組立前（展開状態）の組立箱が得られる。
底板部としては方形状に形成されたものが好適に用いられる。
側面部は、折り目を介して連設される側面外壁部と側面上壁部と側面内壁部をコ字型に折り返して形成されるが、底板部に嵌合孔を穿設し、嵌合孔に対応させて側面内壁部に嵌合凸部を形成しておくことにより、側面部を起立させて固定することができる。側面部の中空部の幅（側面外壁部と側面内壁部との隙間）は、差込片の厚さとほぼ同等に形成することが好ましい。差込片を中空部に挟持した状態で、差込片の両面を側面外壁部と側面内壁部に密着させ、側面部が内方や外方に倒れることを防止でき、形状安定性に優れるためである。
突起部の形状は、円形状（円弧状）、三角形状、台形状、矩形状など、様々な形状を選択することができるが、上方から加わる力が分散し易いように、上端の接触面積が少なく、上端側から下端側に向かって徐々に幅が増加する円形状、三角形状、台形状などの形状が特に好適に用いられる。
尚、突起部の大きさ（幅や高さ）、数などは、適宜、選択することができる。また、複数の突起部を形成する場合、各々の突起部の形状や大きさなどは全て同じでもよいし、それぞれ異なっていてもよい。
【０００８】
底板部には、背面部と対向して前面部が立設されるが、前面部は、背面部と同様に両端部に折り目を介して差込片を延設し、側面部の中空部に挟持することによって形成することができる。この時の差込片の形状は適宜、選択することができるが、背面部側の差込片と同様の突起部を形成することにより、同様の作用が得られる。また、前面部は、側面部と同様に、折り目を介して連設した前面外壁部と前面上壁部と前面内壁部をコ字型に折り返して形成することもできる。このとき、側面部と同様に、底板部に嵌合孔を穿設し、嵌合孔に対応させて前面内壁部に嵌合凸部を形成することにより、前面部を起立させて固定することができる。
背面部又は前面部には必要に応じて蓋部を連設することができる。このとき、蓋部の両側部や先端部に係止片を形成し、側面部や前面部又は背面部の内側に差し込むことにより、蓋部を簡便に固定することができる。
尚、各部の寸法は、収容物の寸法、形状、数などに応じて、適宜、選択することができる。
【０００９】
請求項２に記載の発明は、請求項１に記載の組立箱であって、前記差込片の前記突起部が、上に凸の円弧状に形成された構成を有している。
この構成により、請求項１の作用に加え、以下のような作用を有する。
（１）差込片の突起部が、上に凸の円弧状に形成されることにより、側面部の側面上壁部に加わる力が、突起部で分散し易く、突起部や差込片或いは側面上壁部の変形や破損などの発生を防止することができ、耐久性に優れる。
【００１０】
ここで、複数の突起部を形成する場合、突起部と突起部の間は下に凸の円弧状に形成するなどして滑らかにつなぐことが好ましい。突起部に加わる力が分散し易く、差込片や側面上壁部の変形や破損などを効果的に防止できるためである。
【００１１】
請求項３に記載の組立箱は、請求項１又は２に記載の組立箱であって、前記差込片に前記突起部が複数形成され、組立前の複数の前記突起部の頂部の高さが、前記差込片の根元側が低く、前記差込片の先端側が高くなるように配置された構成を有している。
この構成により、請求項１又は２の作用に加え、以下のような作用を有する。
（１）差込片に突起部が複数形成されることにより、落下による衝撃力などの外力が差込片に加わった際に、その力を複数の突起部で分散させることができるので、差込片の根元側に力が集中して差込片が背面部からちぎれることや差込片の先端側が側面部の側面上壁部を突き破ることがなく、破損を効果的に防止することができ、耐衝撃性、形状保持性に優れる。
（２）差込片に突起部が複数形成され、組立前の複数の突起部の頂部の高さが、差込片の根元側が低く、差込片の先端側が高くなるように配置されることにより、組立時に差込片の先端側の突起部の頂部を確実に側面部の側面上壁部の内面と当接させ、差込片全体を傾斜させて複数の突起部で差込片全体を側面部の中空部に保持することができ、堅牢性、形状安定性に優れる。
【００１２】
ここで、複数の突起部は、頂部の高さが一直線状に並ぶように配置することが好ましい。組立時に複数の突起部の全ての頂部を側面部の平面状の側面上壁部の内面に確実かつ略均等に当接させて、複数の突起部に加わる力を分散させることができ、突起部や差込片の破損を防止し、差込片を強固に固定できるためである。
【００１３】
請求項４に記載の発明は、請求項１乃至３の内いずれか１項に記載の組立箱であって、前記差込片が、前記突起部の下方に穿設された貫通孔を備えた構成を有している。
この構成により、請求項１乃至３の内いずれか１項の作用に加え、以下のような作用を有する。
（１）差込片が、突起部の下方に穿設された貫通孔を有することにより、落下による衝撃力などの過度の外力が差込片に加わった際に、貫通孔を潰すようにして突起部が変形し、外力を緩衝（吸収）することができるので、差込片全体や側面部などの破損を確実に防止することができ、耐衝撃性、形状保持性に優れる。
【００１４】
ここで、貫通孔の形状、配置、数は、突起部の形状、配置、数などに応じて、適宜、選択することができる。貫通孔は各々の突起部の下方に独立して形成してもよいし、複数の突起部に共通するように（跨るように）長孔状に形成してもよい。特に、貫通孔を全ての突起部に共通するように（跨るように）形成した場合、突起部に荷重が加わった際に、貫通孔全体が潰れ、全ての突起部が一直線状に並ぶように変形して側面部の側面上壁部の内面と密着するので、突起部の変形後も差込片が中空部から抜けることがなく、背面部が外方に倒れることを確実に防止して形状を保持することができ、形状保持の確実性、信頼性に優れる。
【発明の効果】
【００１５】
以上のように、本発明の組立箱によれば、以下のような有利な効果が得られる。
請求項１に記載の発明によれば、以下のような効果を有する。
（１）差込片が、根元側の高さが低く、先端側の高さが高くなるように前記側面上壁部側及び前記底板部側の両方の全体が傾斜して形成され、差込片の突起部が、側面部の側面上壁部の内面と当接することにより、差込片全体を側面上壁部で確実に下方に押し下げることができ、背面部が外方に開くことを防止できる形状安定性に優れた組立箱を提供することができる。
【００１６】
請求項２に記載の発明によれば、請求項１の効果に加え、以下のような効果を有する。
（１）側面部の側面上壁部に加わる力を突起部で分散させ、突起部や差込片或いは側面上壁部の変形や破損などの発生を防止することができる耐久性に優れた組立箱を提供することができる。
【００１７】
請求項３に記載の発明によれば、請求項１又は２の効果に加え、以下のような効果を有する。
（１）差込片の先端側の突起部の頂部を確実に側面部の側面上壁部の内面と当接させ、複数の突起部で差込片全体を側面部の中空部に保持することができる堅牢性、形状安定性に優れた組立箱を提供することができる。
【００１８】
請求項４に記載の発明によれば、請求項１乃至３の内いずれか１項の効果に加え、以下のような効果を有する。
（１）落下による衝撃力などの過度の外力が差込片に加わった際に、貫通孔が潰れるようにして突起部が変形して外力を緩衝（吸収）することができ、差込片全体や側面部などの破損を確実に防止することができる耐衝撃性、形状保持性に優れた組立箱を提供することができる。
【図面の簡単な説明】
【００１９】
【図１】実施の形態１における組立箱を示す模式斜視図
【図２】実施の形態１における組立箱の組立前の状態を示す模式展開平面図
【図３】実施の形態１における組立箱の差込片の差し込み状態を示す要部断面模式側面図
【発明を実施するための形態】
【００２０】
（実施の形態１）
本発明の実施の形態１における組立箱について、以下図面を参照しながら説明する。
図１は実施の形態１における組立箱を示す模式斜視図である。
図１中、１は１枚の段ボールを折り畳んで形成された本発明の実施の形態１における組立箱、２は組立箱１の底板部、３は折り目２ａを介して底板部２に連設された組立箱１の背面部、４は折り目２ｂを介して底板部２に連設され背面部３と対向配置された組立箱１の前面部、８は背面部３の両側部で底板部２の対向する一組の辺上に立設された組立箱１の側面部、９は折り目２ｃを介して底板部２に連設された側面部８の側面外壁部、１０は折り目９ａを介して側面外壁部９に連設された側面部８の側面上壁部、１１は折り目１０ａを介して側面上壁部１０に連設された側面部８の側面内壁部、１１ａは各々の側面内壁部１１の前後２箇所に形成され底板部２に穿設された嵌合孔２ｄに嵌合された嵌合凸部、１２は背面部３の上辺に折り目３ｂを介して連設された組立箱１の蓋部、１３ａは蓋部１２の先端部に折り目１２ａを介して連設され前面部４の内側に差し込まれる前部係止片、１３ｂは蓋部１２の両側部に折り目１２ｂを介して連設され各々の側面部８の内側に差し込まれる側部係止片である。
【００２１】
次に、実施の形態１における組立箱の組立方法について説明する。
図２は実施の形態１における組立箱の組立前の状態を示す模式展開平面図である。
図２中、１ａは所定の形状に切断され又はくり抜かれ実施の形態１における組立箱１を形成する段ボール、５ａ，５ｂは背面部３及び前面部４のそれぞれの両端部に折り目３ａ，４ａを介して延設された差込片、６は各々の差込片５ａ，５ｂの先端側の上縁に上に凸の円弧状に形成された複数の突起部、７は各々の差込片５ａ，５ｂの複数の突起部６の下方に穿設された長孔状の貫通孔である。
【００２２】
まず、実施の形態１における組立箱１を組み立てるには、図２において、背面部３及び前面部４をそれぞれ折り目２ａ，２ｂで折り曲げて起立させる。
次に、背面部３及び前面部４のそれぞれの両端部の折り目３ａ，４ａで差込片５ａ，５ｂを折り曲げ、底板部２の両側の折り目２ｃ上に重ねる。
次に、底板部２の両側の折り目２ｃ，９ａ，１０ａで側面外壁部９，側面上壁部１０，側面内壁部１１を順に内側に折り曲げ、側面外壁部９と側面内壁部１１の間に差込片５ａ，５ｂを挟持して、側面内壁部１１の嵌合凸部１１ａを底板部２の嵌合孔２ｄに嵌合し、コ字型の側面部８を形成して、図１の組立箱１が完成する。
組立箱１の中に収容物を収容した後、折り目３ｂで蓋部１２を折り曲げ、さらに折り目１２ａ，１２ｂで折り曲げた前部係止片１３ａ，側部係止片１３ｂをそれぞれ前面部６，側面部８の内側に差し込んで蓋をする。
【００２３】
次に、実施の形態１における組立箱の構造について説明する。
図３は実施の形態１における組立箱の差込片の差し込み状態を示す要部断面模式側面図である。
図３中、８ａはコ字型に形成された側面部８（図１参照）の側面外壁部９と側面上壁部１０と側面内壁部１１で囲まれた中空部である。
図２に示したように、差込片５ａ，５ｂは、根元側（折り目３ａ，４ａ側）の高さが低く、先端側の高さが高くなるように全体が傾斜して形成されている。また、複数の突起部６は頂部の高さが、差込片５ａ，５ｂの根元側が低く、差込片５ａ，５ｂの先端側が高くなるように配置されている。
そして、図３に示すように、差込片５ａが中空部８ａに差し込まれた際に、差込片５ａの先端側の上縁に形成された複数の突起部６が側面上壁部１０の内面と当接し、差込片５ａ全体が下方（底面部２側）に押し下げられ、強固に固定される。これにより、差込片５ａが中空部８ａから抜けることがなく、背面部３が外方に倒れることを防止でき、組立箱１の潰れや変形などの発生を防ぐことができる。
また、差込片５ａの下方に形成された貫通孔７を有することにより、落下による衝撃力などの過度の外力によって、背面部３を外方に倒そうとする力が発生し、差込片５ａを上方に回動させようとする力が作用した際に、貫通孔７を潰すようにして突起部６が変形し、外力を緩衝（吸収）することができ、差込片５ａ全体や側面部８などの破損を防止できる。
これらは、前面部４側の差込片５ｂについても同様なので説明を省略する。
【００２４】
本実施の形態では、突起部６を上に凸の円弧状に形成し、突起部６と突起部６の間を下に凸の円弧状につないで、差込片５ａ，５ｂの先端側を滑らかな波形に形成した。上端の接触面積が少なく、上端側から下端側に向かって徐々に幅が増加する突起部６により、上方から加わる力を分散させることができ、差込片５ａ，５ｂや側面上壁部１０の変形や破損などを効果的に防止できるためである。
また、差込片５ａ，５ｂ全体を傾斜させ、複数の突起部６の頂部の高さが、差込片５ａ，５ｂの根元側が低く、差込片５ａ，５ｂの先端側が高くなるように一直線状に配置した。複数の突起部６の全ての頂部を側面部８の平面状の側面上壁部１０の内面に確実かつ略均等に当接させて、複数の突起部６に加わる力を分散させ、突起部６や差込片５ａ，５ｂの破損を防止し、差込片５ａ，５ｂ全体を強固に固定するためである。
尚、突起部６の形状、大きさ（幅や高さ）、数などは、適宜、選択することができるが、例えば突起部６の形状は、三角形状や台形状などに形成してもよい。また、各々の突起部６の形状や大きさなどは全て同じでもよいし、それぞれ異なっていてもよい。
【００２５】
側面部８の中空部８ａの幅（側面外壁部９と側面内壁部１１との隙間）は、差込片５ａ，５ｂの厚さとほぼ同等に形成した。差込片５ａ，５ｂを中空部８ａに挟持した状態で、差込片５ａ，５ｂの両面を側面外壁部９と側面内壁部１１に密着させ、側面部８が内方や外方に倒れることを防止でき、形状安定性に優れるためである。
また、貫通孔７の形状、配置、数は、突起部６の形状、配置、数などに応じて、適宜、選択することができる。貫通孔７は各々の突起部６の下方に独立して形成してもよいし、複数の突起部６に共通するように（跨るように）長孔状に形成してもよい。本実施の形態のように、貫通孔７を複数の突起部６に共通するように（跨るように）形成した場合、突起部６に荷重が加わった際に、貫通孔７全体が潰れ易く、複数の突起部６が一直線状に並ぶように変形して側面部８の側面上壁部１０の内面と密着するので、突起部６の変形後も差込片５ａ，５ｂが中空部８ａから抜けることがなく、背面部３や前面部４が外方に倒れることを確実に防止して形状を保持することができ、形状保持の確実性、信頼性に優れる。
【００２６】
実施の形態１の組立箱は以上のように構成されているので、以下の作用を有する。
（１）底板部の一辺上に折り目を介して立設される背面部には、外方に開こうとする力（元の平面状態に戻ろうとする力）が発生するが、背面部の両端部に折り目を介して延設され、側面部の中空部に挟持される差込片が、先端側の上縁に形成され側面部の側面上壁部の内面と当接する複数の突起部を有することにより、差込片を側面上壁部で確実に下方に押し下げることができ、背面部が外方に開くことを防止でき、形状安定性に優れる。
（２）差込片が、根元側の高さが低く、先端側の高さが高くなるように前記側面上壁部側及び前記底板部側の両方の全体が傾斜して形成され、差込片の先端側の上縁に形成され側壁部の中空部に挟持された状態で側面部の側面上壁部の内面と当接する複数の突起部を有するので、積載時の荷重などにより背面部を外方に倒そうとする外力が働いた場合でも、複数の突起部が側面部の側面上壁部の内面と当接することによって、差込片が中空部から抜けることがなく、背面部が外方に倒れることを防止して形状を維持することができ、潰れや変形などが発生せず、形状安定性、耐久性に優れる。
（３）差込片が、先端側の上縁に形成された複数の突起部を有することにより、落下による衝撃力などの外力が差込片に加わった際に、その力を複数の突起部で分散させることができるので、差込片の根元側に力が集中して差込片が背面部からちぎれることや差込片の先端側が側面部の側面上壁部を突き破ることがなく、破損を効果的に防止することができ、耐衝撃性、形状保持性に優れる。
（４）差込片の各々の突起部が、上に凸の円弧状に形成されることにより、側面部の側面上壁部に加わる力が、突起部で分散し易く、突起部や差込片或いは側面上壁部の変形や破損などの発生を防止することができ、耐久性に優れる。
（５）組立前の差込片の複数の突起部の頂部の高さが、差込片の根元側が低く、差込片の先端側が高くなるように配置されることにより、組立時に差込片の先端側の突起部の頂部を確実に側面部の側面上壁部の内面と当接させ、差込片の前記側面上壁部側及び前記底板部側の両方の全体を傾斜させて複数の突起部で差込片の前記側面上壁部側及び前記底板部側の両方の全体を側面部の中空部に保持することができ、堅牢性、形状安定性に優れる。
（６）差込片が、突起部の下方に穿設された貫通孔を有することにより、落下による衝撃力などの過度の外力が差込片に加わった際に、貫通孔を潰すようにして突起部が変形し、外力を緩衝（吸収）することができるので、差込片全体や側面部などの破損を確実に防止することができ、耐衝撃性、形状保持性に優れる。
【産業上の利用可能性】
【００２７】
本発明は、簡単な構造で組立て及び分解の作業性を低下させることなく、外力に対する形状安定性、耐久性を向上させ、潰れや変形などの発生を防止できると共に、過大な外力や落下時の衝撃力などが加わった際には、その力を分散、緩衝して、破損を防止することができる耐衝撃性、形状保持性に優れた組立箱の提供を行い、収容物を確実に保護し、安全に搬送することができる。
【符号の説明】
【００２８】
１  組立箱
１ａ  段ボール
２  底板部
２ａ，２ｂ，２ｃ，３ａ，３ｂ，４ａ，９ａ，１０ａ，１２ａ，１２ｂ  折り目
２ｄ  嵌合孔
３  背面部
４  前面部
５ａ，５ｂ  差込片
６  突起部
７  貫通孔
８  側面部
８ａ  中空部
９  側面外壁部
１０  側面上壁部
１１  側面内壁部
１１ａ  嵌合凸部
１２  蓋部
１３ａ  前部係止片
１３ｂ  側部係止片
【図１】
0005581280.tif 000002
【図２】
0005581280.tif 000003
【図３】
0005581280.tif 000004